(57)【特許請求の範囲】
【請求項１】
ロング・ターム・エボリューションシステムにおける基地局セルの自己回復の実現方法であって、
基地局は異常なベースバンドボードを検出すると、自分に前記異常なベースバンドボードにおけるセルの最小帯域幅の需要を満足する余分なベースバンドリソースが存在するか否かを判断し、
存在すると、セルの作成過程を発起して前記異常なベースバンドボードにおけるセルを新たに作成することと、
存在しないと、正常なベースバンドボードからセルの冗長帯域幅を取得して使用可能なベースバンドリソースとして、前記異常なベースバンドボードにおけるセルを新たに作成することとを含み、
前記正常なベースバンドボードからセルの冗長帯域幅を取得して使用可能なベースバンドリソースとして、前記異常なベースバンドボードにおけるセルを新たに作成することは、
基地局は正常なベースバンドボードにおける帯域幅が最大であるセルを検索し、検索して得たセルの帯域幅を低下させ、使用可能なベースバンドリソースを取得することと、
基地局は取得した使用可能なベースバンドリソースが前記異常なベースバンドボードにおけるセルの最小帯域幅の需要を満足するか否かを判断し、
満足しないと、使用可能なベースバンドリソースを更に取得するように、正常なベースバンドボードにおける帯域幅が最大であるセルを検索し続け、
満足すると、前記基地局はセルの作成過程を発起して前記異常なベースバンドボードにおけるセルを新たに作成することとを含むロング・ターム・エボリューションシステムにおける基地局セルの自己回復の実現方法。
【請求項２】
前記異常なベースバンドボードにおけるセルの最小帯域幅は、ロング・ターム・エボリューションシステムが支持する最小帯域幅に前記異常なベースバンドボードにおけるセルの数量を掛けるものである請求項１に記載のロング・ターム・エボリューションシステムにおける基地局セルの自己回復の実現方法。
【請求項３】
検索して得たセルの帯域幅を低下させることは、正常なベースバンドボードにおける帯域幅が最大であるセルの帯域幅を前記ロング・ターム・エボリューションシステムに支持される、当該セル現在の帯域幅に対応する一つ下のクラスの帯域幅まで低下させることである請求項２に記載のロング・ターム・エボリューションシステムにおける基地局セルの自己回復の実現方法。
【請求項４】
使用可能なベースバンドリソースを更に取得するように、正常なベースバンドボードにおける帯域幅が最大であるセルを検索し続けることは、
基地局は正常なベースバンドボードにおける全てのセルの帯域幅がいずれもロング・ターム・エボリューションシステムに支持される最小帯域幅に達したか否かを判断し、
一部が達しない場合、帯域幅が最大であるセルを検索し続け、使用可能なベースバンドリソースを更に取得することと、
いずれも達した場合、基地局は取得した使用可能なベースバンドリソースの帯域幅と前記異常なベースバンドボードにおけるセルの優先クラスに応じて、セル作成過程を選択的に発起して前記異常なベースバンドボードにおけるセルを新たに作成することとを含む請求項３に記載のロング・ターム・エボリューションシステムにおける基地局セルの自己回復の実現方法。
【請求項５】
前記優先クラスはセルカバー領域及び/またはセルユーザーの数量によって設定される請求項４に記載のロング・ターム・エボリューションシステムにおける基地局セルの自己回復の実現方法。
【請求項６】
前記ロング・ターム・エボリューションシステムに支持される最小帯域幅が１.４MHzである請求項５に記載のロング・ターム・エボリューションシステムにおける基地局セルの自己回復の実現方法。
【請求項７】
検索して得たセルの帯域幅を低下させることは、
当該セルがユーザーにサービスを提供することに影響しないこと、及び
各セル帯域幅の最適化配分を実現することを基準として実現される請求項１ないし６の何れか１項に記載のロング・ターム・エボリューションシステムにおける基地局セルの自己回復の実現方法。
【請求項８】
ロング・ターム・エボリューションシステムにおける基地局セルの自己回復の実現システムであって、
基地局において異常なベースバンドボードが発生したか否かを検出し、発生した場合に、ベースバンドボード異常情報を判断ユニットに送信するように設置される検出ユニットと、
ベースバンドボード異常情報によって基地局には異常なベースバンドボードにおけるセルの最小帯域幅の需要を満足する余分なベースバンドリソースがあるか否かを判断し、存在すると、異常なベースバンドボードにおけるセル作成請求をセル作成ユニットに送信し、存在しないと、使用可能ベースバンドリソース取得請求を使用可能ベースバンドリソース取得ユニットに送信するように設置される判断ユニットと、
異常なベースバンドボードにおけるセル作成請求に応じて異常なベースバンドボードのためにセルを作成するように設置されるセル作成ユニットと、及び
使用可能ベースバンドリソース取得請求に応じて正常なベースバンドボードからセルの冗長帯域幅を取得するように設置される使用可能ベースバンドリソース取得ユニットと、を備え、
前記使用可能ベースバンドリソース取得ユニットは、
正常なベースバンドボードにおける帯域幅が最大であるセルを検索し、セル帯域幅情報を使用可能ベースバンドリソース取得モジュールに送信するように設置される検索モジュールと、
セル帯域幅情報及使用可能ベースバンドリソース取得請求に応じて使用可能なベースバンドリソースを取得するように設置される使用可能ベースバンドリソース取得モジュールと、
使用可能なベースバンドリソースが異常なベースバンドボードにおけるセルの最小帯域幅の需要を満足するか否かを判断し、
満足する場合、異常なベースバンドボードにおけるセルの作成請求を前記セル作成ユニットに送信し、
満足しない場合、使用可能ベースバンドリソース取得請求を前記使用可能ベースバンドリソース取得モジュールに送信するように設置される判断モジュールとを含むロング・ターム・エボリューションシステムにおける基地局セルの自己回復の実現システム。
【発明の詳細な説明】
【技術分野】
【０００１】
本発明は移動通信ロング・ターム・エボリューション（LTE、Long Term Evolution）システムにおける基地局セルの作成技術に関し、特にLTEシステムにおける基地局セルの自己回復の実現方法及びシステムに関する。
【背景技術】
【０００２】
LTEシステムにおいて、自己最適化ネットワーク（SON、Self Optimizing Network）機能は高い地位に取り上げられ、ネットワークの自己回復機能が著しくなってきた。従来の技術において、基地局であるエボリューション型ノード B (eNB、Evolution Node B)の設計は一般的にベースバンドプールの方式で実現し、ベースバンドリソースがLTEシステム帯域幅にかかわり、LTEシステム帯域幅が大きいほど、占めるベースバンドリソースが多くなり、ベースバンドリソースは各枚のベースバンドボードにマッピングし、各枚のベースバンドボードの処理能力が一定である。eNBは各セルを作成するには、いずれも一定のベースバンドリソースを占めることになる。eNBがリザーブベースバンドリソースがあり、リザーブベースバンドリソースを備えないあるベースバンドボードが異常の場合に、ベースバンドリソースシェアの原則によって、セルを当該eNBにおけるリザーブベースバンドリソースがあるベースバンドボードに新たに作成する。
【０００３】
図１はLTEシステムにおけるeNBの構成模式図であり、図１に示すように、eNBはベースバンド処理ユニットとリモートラジオユニットからなり、ベースバンド処理ユニットは、少なくとも１枚のメインコントロールボード、複数枚のベースバンドボード、及び少なくとも１枚のインターフェースボードを含み、ベースバンド処理ユニットはインターフェースボードによってリモートラジオユニットに互いに連通する。
【０００４】
従来の技術は、eNBが余分なベースバンドリソースをリザーブしなければ、異常を発生したベースバンドボードがある場合に、当該異常なベースバンドボードにおけるセルが引き続きユーザーにサービスを提供することができなくなり、またはリザーブ余分なベースバンドリソースがあるが、リザーブベースバンドリソースが異常なベースバンドボードにおけるセルの最小帯域幅の需要を満足できないと、当該セルも引き続きユーザーにサービスを提供することができなくなり、このようにして、当該セルのユーザーに極めて大きいな不便を与える問題が存在する。
【発明の概要】
【発明が解決しようとする課題】
【０００５】
本発明はこのことに鑑みてなされたものであり、LTEシステムにおける基地局セルの自己回復の実現方法及びシステムを提供することを目的とし、eNBにおいて余分なベースバンドリソースは異常なベースバンドボードにおけるセルの最小帯域幅の需要を満足できない場合に、異常なベースバンドボードにおけるセルを新たに作成することが実現できる。
【課題を解決するための手段】
【０００６】
前記目的を達するために、本発明の技術案は次のように実現し、
本発明は、ロング・ターム・エボリューションシステムLTEおける基地局セルの自己回復の実現方法を提供し、当該実現方法には、基地局がベースバンドボードの異常発生を検出すると、自分に異常なベースバンドボードにおけるセルの最小帯域幅の需要を満足する余分なベースバンドリソースがあるか否かを判断し、存在すると、セルの作成過程を発起し、異常なベースバンドボードにおけるセルを新たに作成することと、存在しないと、正常なベースバンドボードからセルの冗長帯域幅を取得して使用可能なベースバンドリソースとして、異常なベースバンドボードにおけるセルを新たに作成することを含む。
【０００７】
前記技術案において、正常なベースバンドボードからセルの冗長帯域幅を取得して使用可能なベースバンドリソースとして、異常なベースバンドボードにおけるセルを新たに作成する前記ステップは、
基地局は正常なベースバンドボードにおける帯域幅が最大であるセルを検索し、検索して得たセルの帯域幅を低下させ、使用可能なベースバンドリソースを取得することと、基地局は当該使用可能なベースバンドリソースが異常なベースバンドボードにおけるセルの最小帯域幅の需要を満足するか否かを判断し、満足しないと、使用可能なベースバンドリソースを更に取得するように、基地局は正常なベースバンドボードにおける帯域幅が最大であるセルを検索し続き、満足すると、eNBはセルの作成過程を発起し、異常なベースバンドボードにおけるセルを新たに作成することを含む。
【０００８】
前記技術案において、前記異常なベースバンドボードにおけるセルの最小帯域幅はLTEシステムが支持する最小帯域幅にセル数量を掛けるものである。
【０００９】
前記技術案において、帯域幅が最大であるセル帯域幅を低下させる前記ステップとは、帯域幅が最大であるセルの帯域幅をLTEシステムに支持される、当該セル現在の帯域幅に対応する次のクラスの帯域幅まで低下させることである。
【００１０】
前記技術案において、正常なベースバンドボードにおける帯域幅が最大であるセルを検索し続く前記ステップは、
eNBは正常なベースバンドボードにおける全てのセルの帯域幅がいずれもLTEシステムに支持される最小帯域幅に達したか否かを判断し、一部が達しない場合、帯域幅が最大であるセルを検索し続くステップを実行し、いずれも達した場合、eNBは使用可能なベースバンドリソースの帯域幅と異常なベースバンドボードにおけるセルの優先クラスに応じて、セル作成過程を選択的に発起して異常なベースバンドボードにおけるセルを新たに作成することを含む。
【００１１】
前記技術案において、前記優先クラスはセルカバー領域、及び/またはユーザー数量によって設定される。
【００１２】
前記技術案において、前記LTEシステムに支持される最小帯域幅が１.４MHzである。
【００１３】
前記技術案において、前記の帯域幅が最大であるセル帯域幅を低下させることは、当該セルがユーザーにサービスを提供することに影響しなく、且つセル帯域幅の最適化配分を実現することを基準とする。
本発明は、基地局におけるベースバンドボードに異常が発生したか否かを検出し、発生した場合に、ベースバンドボード異常情報を判断ユニットに送信するように設置される検出ユニットと、
ベースバンドボード異常情報によって基地局に異常なベースバンドボードにおけるセルの最小帯域幅の需要を満足する余分なベースバンドリソースが存在するか否かを判断し、存在すると、異常なベースバンドボードにおけるセル作成請求をセル作成ユニットに送信し、存在しないと、使用可能ベースバンドリソース取得請求を使用可能ベースバンドリソース取得ユニットに送信するように設置される判断ユニットと、
異常なベースバンドボードにおけるセル作成請求に応じて相応のセルを作成するように設置されるセル作成ユニットと、
使用可能ベースバンドリソース取得請求に応じて正常なベースバンドボードからセルの余分な帯域幅を取得するように設置される使用可能ベースバンドリソース取得ユニットと、を備えるLTEにおける基地局セルの自己回復の実現システムを更に提供する。
【００１４】
前記技術案において、前記使用可能ベースバンドリソース取得ユニットは、
正常なベースバンドボードにおける帯域幅が最大であるセルを検索し、セル帯域幅情報を使用可能ベースバンドリソース取得モジュールに送信するように設置される検索モジュールと、
セル帯域幅情報及使用可能ベースバンドリソース取得請求に応じて使用可能なベースバンドリソースを取得するように設置される使用可能ベースバンドリソース取得モジュールと、
使用可能のベースバンドリソースが異常なベースバンドボードにおけるセルの最小帯域幅の需要を満足するか否かを判断し、満足すると、異常なベースバンドボードにおけるセルの作成請求をセル作成ユニットに送信し、満足しないと、使用可能ベースバンドリソース取得請求を使用可能ベースバンドリソース取得モジュールに送信するように設置される判断モジュールとをさらに含む。
【００１５】
本発明により提供されたロング・ターム・エボリューションシステムにおけるセルの自己回復の実現方法及び実現システムは、従来の技術に比べて、ベースバンドボードが異常を発生した場合に、eNBが余分なベースバンドリソースをリザーブしなくまたはリザーブした余分なベースバンドリソースが異常なベースバンドボードにおけるセルの最小帯域幅の需要を満足できないと、当該eNBにおける正常なベースバンドボードにおいてのセルの帯域幅を低下させることによって、異常なベースバンドボードにおけるセルの最小帯域幅の需要を満足する使用可能なベースバンドリソースを取得し、セル作成過程を発起して異常なベースバンドボードにおけるセルを新たに作成し、それによって、オペレータからの業務提供の連続性を保障し、ユーザーのオペレータへの満足度及びオペレータのユーザーへの誠実度を高める。
【図面の簡単な説明】
【００１６】
【図１】LTEシステムにおけるeNBの構成模式図である。
【図２】LTEシステムにおけるeNBセルの自己回復の実現方法のフロー模式図である。
【発明を実施するための形態】
【００１７】
本発明は、eNBのある枚のベースバンドボードが異常を発生した場合、且つeNBには余分なベースバンドリソースが存在しないまたは余分なベースバンドリソースが異常なベースバンドボードにおけるセルの最小帯域幅の需要を満足できない場合、当該eNBにおける正常なベースバンドボードにおいてのセルの帯域幅を低下させることによって、異常ベースバンドボードにおけるセルの最小帯域幅需要を満足する使用可能なベースバンドリソースを取得し、異常なベースバンドボードにおけるセルを新たに作成し、それによって、オペレータからの業務提供の連続性を保障することを基本的な思想とする。
【００１８】
図２はLTEシステムにおけるeNBセルの自己回復の実現方法のフロー模式図であり、図２に示すように、当該実現方法は以下のステップ１〜ステップ９を含む。
【００１９】
ステップ１は、eNBは異常を発生したベースバンドボードがあると検出した場合に、eNBは自分に余分なベースバンドリソースが存在するか否かを判断し、存在すると、ステップ２を実行し、存在しないと、ステップ３を実行することであり、
このステップでは、ベースバンドボードが異常を発生した場合とは、一般的に、ベースバンドボードの故障またはベースバンドボードが突然に抜けられてしまうことを意味している。
【００２０】
ステップ２は、eNBは当該余分なベースバンドリソースが異常なベースバンドボードにおけるセルの最小帯域幅の需要を満足するか否かを判断し、満足すると、eNBはセル作成過程を発起して異常なベースバンドボードにおけるセルを新たに作成し、現在の処理フローを終了し、満足しないと、ステップ３を実行することであり、
このステップでは、異常なベースバンドボードにおけるセルの最小帯域幅はLTEシステムが支持する最小帯域幅にセル数量を掛けるものである。
【００２１】
ステップ３は、eNBは正常なベースバンドボードにおけるセルを検索し、セルの余分な帯域幅を取得して使用可能なベースバンドリソースとすることであり、
このステップでは、eNBは自分の記億した全てのベースバンドボードにおけるセルの帯域幅情報によって正常なベースバンドボードにおける帯域幅が最大であるセルを検索し、帯域幅が最大であるセルの帯域幅を低下させ、一般的には、当該セルのユーザーにサービスを提供することに影響しなく、且つセル帯域幅の最適化配分を実現することを基準とする。
【００２２】
前記余分な帯域幅とは、セルのLTEシステムに支持できる最小帯域幅より大きい帯域幅資源を意味している。
【００２３】
前記検索は、eNBが全てのベースバンドボードにおけるセルをランダムに検索すること、またはセル帯域幅の大きさによってeNBの中にセル帯域幅情報リストを作成し、eNBが当該セル帯域幅情報リストによって検索することであってもよく、当該セル帯域幅情報リストはセル現在の帯域幅の情況によって常に更新される。
【００２４】
前記セル帯域幅の最適化配分とは、
１）LTEシステムに支持できる帯域幅基準によって、検索して得たセルの帯域幅をLTEシステムに支持される、当該セル現在の帯域幅に対応するただ一つ下のクラスの帯域幅までに低下させ、１つのセル帯域幅を低下し過ぎて当該セルのサービス品質を大きく影響すること防止し、そのうち、LTEシステムに支持できるセル帯域幅の基準は２０MHz、１５MHz、１０MHz、５MHz、３MHz、１.４MHzであることと、
２）同時に複数の帯域幅が同じのセルが存在すると、カバー領域が最小で、及び/またはユーザー数量が最少であるセルを選択して、帯域幅を低下させることを意味している。
【００２５】
ステップ４は、eNBは当該使用可能なベースバンドリソースが異常なベースバンドボードにおけるセルの最小帯域幅の需要を満足するか否かを判断し、満足しないと、ステップ５を実行し、満足すると、eNBはセル作成過程を発起して異常なベースバンドボードにおけるセルを新たに作成し、現在の処理フローを終了することである。
【００２６】
ステップ５は、eNBは正常なベースバンドボードにおける全てのセルの帯域幅がいずれもLTEシステムに支持される最小帯域幅に達したか否かを判断し、一部が達しない場合、ステップ３に戻り、いずれも達した場合、eNBは使用可能なベースバンドリソースの帯域幅及び異常なベースバンドボードにおけるセルの優先クラスに応じて、セル作成過程を選択的に発起して異常なベースバンドボードにおけるセルを新たに作成することであり、
このステップでは、セルの優先クラスはセルカバー領域、及び/またはユーザーの数量によって設定され、セルカバー領域が大きいほど、及び/またはユーザーの数量が多いほど、セルの優先クラスが高くなる。使用可能なベースバンドリソースは異常なベースバンドボードにおけるセルの最小帯域幅の需要を満足しなく、即ち、異常なベースバンドボードにおける全てのセルの新たな作成を実現できないので、セルカバー領域、及び/またはユーザーの数量によって新たに作成する必要があるセルを選択する。
【００２７】
異なるセル帯域幅は異なるベースバンドリソースを占め、１枚のベースバンドボードにおけるベースバンドリソースは限りがあり、支持する無線帯域幅も限りがある。eNBにはある枚のベースバンドボードが異常を発生し、且つeNBがベースバンドリソースをリザーブしないまたはリザーブベースバンドリソースが足りないと、一定の原則に従って正常なベースバンドボードにおけるセル帯域幅を低下させることができ、余分の使用可能なベースバンドリソースに異常なベースバンドボードにおける全てのセルの最小帯域幅の需要を満足させることができ、即ち、各セルは１.４MHzのベースバンドリソースを占め、余分な的使用可能なベースバンドリソースを利用してセルを新たに作成し、引き続きユーザーにサービスを提供していく。
【００２８】
余分の使用可能なベースバンドリソースは異常なベースバンドボードにおける全てのセルの最小帯域幅の需要を満足できなく、且つ正常なベースバンドボードにおける全てのセルの帯域幅はいずれもLTEシステムに支持される最小帯域幅に達すると、eNBは使用可能なベースバンドリソースの帯域幅及び異常なベースバンドボードにおけるセルの優先クラスによって、セル作成過程を選択的に発起して異常なベースバンドボードにおけるセルを新たに作成する。
【００２９】
以下で、本発明のLTEシステムにおけるeNBセルの自己回復の実現方法について実施例を参照しながら具体的に説明する。
【００３０】
仮にeNBの１枚のベースバンドボードが故障し、当該ベースバンドボードには２つのセルを有し、それぞれセルAとセルBであり、本実施例では、セルAとセルBの最小帯域幅は１.４M×２=２.８MHzであり、セルAとセルBの自己回復の実現方法は以下のステップ１０〜ステップ１４を含み、
ステップ１０は、eNBは当該ベースバンドボードが異常を発生したことを検出した場合に、eNBは自分に余分なベースバンドリソースが存在するか否かを判断し、存在すると、ステップ１１を実行し、存在しないと、ステップ１２を実行することであり、
ステップ１１は、eNBは当該余分なベースバンドリソースが異常なベースバンドボードにおけるセルAとセルBの最小帯域幅の需要を満足するか否かを判断し、満足すると、eNBはセルAとセルBの作成過程を発起し、セルAとセルBを新たに作成し、現在の処理フローを終了し、満足しないと、ステップ１２を実行することであり、
ステップ１２は、eNBは正常なベースバンドボードにおける帯域幅が最大であるセルを検索し、検索して得たセルの帯域幅を低下させ、使用可能なベースバンドリソースを取得することであり、
このステップでは、eNBは最大帯域幅が２０MHzであるセルを検索して得た場合、５MHzの使用可能なベースバンドリソースを取得するように、その帯域幅を１５MHzに低下させ、eNBは最大帯域幅が１５MHzであるセルを検索して得た場合、５MHzの使用可能なベースバンドリソースを取得するように、その帯域幅を１０MHzに低下させ、eNBは最大帯域幅が１０MHzであるセルを検索して得た場合、５MHzの使用可能なベースバンドリソースを取得するように、その帯域幅を５MHzに低下させ、最大帯域幅が５MHzであるセルを検索して得た場合、２MHzの使用可能なベースバンドリソースを取得するように、その帯域幅を３MHzに低下させ、最大帯域幅が３MHzであるセルを検索して得た場合、１.６MHzの使用可能なベースバンドリソースを取得するように、その帯域幅を１.４MHzに低下させる。
【００３１】
ステップ１３は、eNBは当該使用可能なベースバンドリソースが異常なベースバンドボードにおけるセルの最小帯幅の需要を満足するか否かを判断し、満足しないと、ステップ１４を実行し、満足すると、eNBはセルAとセルBの作成過程を発起し、セルAとセルBを新たに作成し、現在の処理フローを終了することである。
【００３２】
このステップでは、ステップ１２で最大帯域幅が５MHz或は３MHzであるセルを検索して得た場合、２MHz或は１.６MHzの使用可能なベースバンドリソースを取得でき、セルAとセルBの２.８MHzの最小帯域幅の需要を満足できなく、ステップ１４を実行し、
ステップ１２に最大帯域幅が２０MHz、１５MHz或は１０MHzであるセルを検索して得た場合、５MHzの使用可能なベースバンドリソースを取得でき、セルAとセルBの２.８MHzの最小帯域幅の需要を満足でき、セルAとセルBの作成過程を発起する。一般に、セルのカバー領域、及び/またはユーザーの数量等によって、セルに相応のベースバンドリソースを配り、本実施例では、仮にセルAのカバー領域が大きく、且つユーザーの数量が多くとすれば、５MHzの使用可能なベースバンドリソースが存在すると、３MHzのベースバンドリソースをセルAに配り、１.４MHzのベースバンドリソースをセルBに配り、それによって、セルAとセルBは引き続きユーザーにサービスを提供することができる。
【００３３】
ステップ１４は、eNBは正常なベースバンドボードにおける全てのセルの帯域幅がいずれもLTEシステムに支持される最小帯域幅に達したか否かを判断し、一部が達しない場合、ステップ１２に戻って、使用可能なベースバンドリソースを取得し続き、いずれも達した場合、eNBは使用可能なベースバンドリソースの帯域幅及び異常なベースバンドボードにおけるセルの優先クラスによって、セル作成過程を選択的に発起して異常なベースバンドボードにおけるセルを新たに作成し、
このステップでは、使用可能なベースバンドリソースが異常なベースバンドボードにおけるセルAとセルBの最小帯域幅の需要の２.８MHzを満足できなく、且つ正常なベースバンドボードにおける全てのセルの帯域幅はいずれもLTEシステムに支持される最小帯域幅の１.４MHzに達した場合、セルAの優先クラスがセルBより高いため、eNBが優先にセルAを新たに作成する。
【００３４】
本発明は更にLTEにおける基地局セルの自己回復の実現システムを提供し、前記LTEにおける基地局セルの自己回復の実現方法を実行することに用いられ、当該システムは検出ユニット、判断ユニット、セル作成ユニット、及び使用可能ベースバンドリソース取得ユニットを含み、そのなか、
検出ユニットは基地局においてベースバンドボードが異常を発生したか否かを検出し、異常を発生した場合、検出ユニットはベースバンドボード異常情報を判断ユニットに送信することに用いられ、判断ユニットはベースバンドボード異常情報によって基地局には異常なベースバンドボードにおけるセルの最小帯域の需要を満足する余分なベースバンドリソースが存在するか否かを判断し、存在すると、判断ユニットは異常なベースバンドボードおけるセル作成請求をセル作成ユニットに送信し、存在しないと、判断ユニットは使用可能ベースバンドリソース取得請求を使用可能ベースバンドリソース取得ユニットに送信することに用いられ、セル作成ユニットは異常なベースバンドボードにおけるセル作成請求に応じて相応のセルを作成することに用いられ、使用可能ベースバンドリソース取得ユニットは使用可能ベースバンドリソース取得請求に応じて正常なベースバンドボードからセルの冗長な帯域幅を取得することに用いられる。
【００３５】
前記使用可能ベースバンドリソース取得ユニットは、検索モジュール、使用可能ベースバンドリソース取得モジュール、及び判断モジュールをさらに含み、そのなか、検索モジュールは正常なベースバンドボードにおける帯域幅が最大であるセルを検索し、セル帯域幅情報を使用可能ベースバンドリソース取得モジュールに送信することに用いられ、使用可能ベースバンドリソース取得モジュールはセル帯域幅情報及び使用可能ベースバンドリソース取得請求に応じて使用可能なベースバンドリソースを取得することに用いられ、判断モジュールは使用可能なベースバンドリソースが異常なベースバンドボードにおけるセルの最小帯域幅の需要を満足するか否かを判断し、満足すると、異常なベースバンドボードにおけるセルの作成請求をセル作成ユニットに送信し、満足しないと、使用可能ベースバンドリソース取得請求を使用可能ベースバンドリソース取得モジュールに送信することに用いられる。
【００３６】
前記判断モジュールは使用可能ベースバンドリソース取得請求を使用可能ベースバンドリソース取得モジュールに送信する前に、先に正常なベースバンドボードにおける全てのセルの帯域幅がいずれもLTEシステムに支持される最小帯域幅に達したか否かを判断してもよく、一部が達しない場合、使用可能ベースバンドリソース取得請求を使用可能ベースバンドリソース取得モジュールに送信し、いずれも達した場合、判断モジュールは使用可能なベースバンドリソースの帯域幅及び異常なベースバンドボードにおけるセルの優先クラスによって、異常なベースバンドボードにおけるセルの作成請求をセル作成ユニットに選択的に送信し、セル作成ユニットは異常なベースバンドボードにおけるセルの作成請求に応じて相応のセルを作成する。
【００３７】
本発明の実現方法及び実現システムは異常を発生したベースバンドボードがある場合に、正常なベースバンドボードにおけるセルの帯域幅を低下させることによって、異常なベースバンドボードにおけるセルの最小帯域幅の需要を満足する使用可能なベースバンドリソースを取得し、セルを新たに作成し、それによって、オペレータからの業務提供の連続性を保障する。
【００３８】
以上は、本発明の好ましい実施例だけで、本発明の保護範囲を限定するためのものではない。
【産業上の利用可能性】
【００３９】
本発明の実現方法及びシステムは異常を発生したベースバンドボードがある場合に、正常なベースバンドボードにおけるセルの帯域幅を低下させることによって、異常なベースバンドボードにおけるセルの最小帯域幅の需要を満足する使用可能なベースバンドリソースを取得し、セルを新たに作成し、オペレータからの業務提供の連続性を保障する。
【図１】
0005254467.tif 000002
【図２】
0005254467.tif 000003